(57)【要約】【課題】  長時間の着用による足の蒸れに起因する不快感を防止し、併せて靴の中で雑菌や黴類の発生繁殖を抑制して靴や足に発生する悪臭を防止できる靴の仲底およびこれを使用した靴の提供。【解決手段】送気室から通気路を介して足裏に空気を供給するようにした靴の中底であって、下側層とこれに重なる上側層とを具え、前記下側層には送気室とこれから足裏の所定部分に空気を送給する通気路を形成し、前記上側層には通気路の空気を足裏に放散させるための開口部を形成するとともに送気室に対応する箇所には空気取り入れ孔を形成して、歩行に際しての踵の動作による送気室のポンプ作用により靴内において送気室から通気路を通り前記開口部より足裏に空気を送給するようにしたことを特徴とする中底、又はこの中底において、下側層と上側層の間には送気室の周囲に伸縮層を形成して、歩行に際しての踵の動作による伸縮層の圧縮・復元により靴内において送気室から通気路を通り前記開口部より足裏に空気を送給するようにした中底である。【選択図】  図１
0003107174.tif 000002
【実用新案登録請求の範囲】
【請求項１】
送気室から通気路を介して足裏に空気を供給するようにした靴の中底であって、下側層とこれに重なる上側層とを具え、前記下側層には送気室とこれから足裏の所定部分に空気を送給する通気路を形成し、前記上側層には通気路の空気を足裏に放散させるための開口部を形成するとともに送気室に対応する箇所には空気取り入れ孔を形成して、歩行に際しての踵の動作による送気室のポンプ作用により靴内において送気室から通気路を通り前記開口部より足裏に空気を送給するようにしたことを特徴とする中底。
【請求項２】
請求項１の中底において、下側層と上側層の間には送気室の周囲に伸縮層を形成して、歩行に際しての踵の動作による伸縮層の圧縮・復元により靴内において送気室から通気路を通り前記開口部より足裏に空気を送給するようにしたことを特徴とする中底。
【請求項３】
請求項１又は２いずれか記載の中底において、前記送気室又は通気路には脱臭・抗菌剤を載置または塗布したことを特徴とする中底。
【請求項４】
請求項１ないし３いずれか記載の中底を具えた靴。
【考案の詳細な説明】
【技術分野】
【０００１】
本願考案は、中底とこれを具えた靴に関し、詳しくは、装着者の歩行動作に応じて取り入れた空気を靴内において足裏まで送給し足の蒸れ発臭を防止するようにした中底とこれを具えた靴に関するものである。
【背景技術】
【０００２】
従来の靴を履くことによる足の蒸れや悪臭の発生に対する対処策として一般的なものは、脱臭除菌剤を具えた中敷又は中底の使用であった。
しかしながら、生活習慣が洋風化した今日では靴の着用は日常化し、その着用も長時間となっており、長時間、靴を履き続けると脱臭・除菌剤の効果が薄れてしまう。
すなわち、靴の装着が短時間であれば、脱臭・除菌剤による効果もそれなりに期待できるが、それでも発汗量が多いと蒸れによる不快感は脱臭・除菌剤では対処できない。そして、着用が長時間ともなると発汗により蒸れた靴の中で雑菌や黴類が発生繁殖してこれに起因する靴及び足の臭いは耐え難いものとなり、特に夏季ではこれが甚だしい。
なお、本願考案と関連する技術が次の文献において開示されている。
【特許文献１】特開２０００−３１６６０５号公報
【考案の開示】
【考案が解決しようとする課題】
【０００３】
本願考案の目的ないし課題は、長時間の着用による足の蒸れに起因する不快感を防止し、併せて靴の中で雑菌や黴類の発生繁殖を抑制して靴や足に発生する悪臭を防止できる靴の仲底およびこれを使用した靴の実現である。
【課題を解決するための手段】
【０００４】
本願考案は、靴用の中底を  送気室から通気路を介して足裏に空気を供給するようにし
た靴の中底であって、下側層とこれに重なる上側層とを具え、前記下側層には送気室とこれから足裏の所定部分に空気を送給する通気路を形成し、前記上側層には通気路の空気を足裏に放散させるための開口部を形成するとともに送気室に対応する箇所には空気取り入れ孔を形成して、歩行に際しての踵の動作による送気室のポンプ作用により靴内において送気室から通気路を通り前記開口部より足裏に空気を送給するように構成して、上記従来の課題を解決しようとするものである。
【０００５】
また、上記の中底において、下側層と上側層の間には送気室の周囲に伸縮層を形成して、歩行に際しての踵の動作による伸縮層の圧縮・復元により靴内において送気室から通気路を通り前記開口部より足裏に空気を送給するように構成することがある。
【０００６】
上記いずれか記載の中底において、前記送気室又は通気路には脱臭・抗菌剤を載置または塗布して脱臭・抗菌剤の作用を空気流に載せて足裏全体に放散させる構成となすことがある。
【０００７】
さらに本願考案は、上記いずれかの構成になる中底を具えた靴を提供して上記従来の課題を解決しようとするものである。
【考案の効果】
【０００８】
本願考案にあっては、歩行動作に随伴して新鮮な空気流又は脱臭・抗菌作用を有する空気流を常時足裏に流通可能な構成としたので、靴を長時間履いても靴の内部に不快な蒸れや雑菌繁殖による異臭、皮膚病の発生その他の不都合を極めて効果的に防止できる。
【考案を実施するための最良の形態】
【０００９】
中底は、下側層とこれに張り合わされる上側層とで構成し、下側層の踵対応部分には送気室としての凹部を形成し、この凹部から複数本の溝を足のつま先方向に放射状に形成する。このように形成される下側層に重ねあわされる上側層の前記送気室に対応する部分には空気取り入れ孔を複数形成する一方、前記通気路の端部に対応する箇所には溝による通気路を流通した気流を放散させるための開口部を形成する。
靴着用者の歩行に際して、踵の上下動により上側層の送気室対応部分が送気室に対して進退するポンプ作用により空気が通気路に放出される。  なお、送気室の容積変動によるポンプ作用をいっそう効率的に行うため、送気室の周囲にゴム材等の弾性材による立壁である伸縮層を設け、踵の上下動により伸縮層を収縮。復元させてポンプ作用をより効果的に行うようにする。
【００１０】
送気室の内壁および底部又は通気路としての溝内壁には脱臭。抗菌剤を塗布することにより、足裏における空気流による除湿乾燥ばかりでなく脱臭・抗菌作用が足裏全体に満遍なく拡散して極めて効果的である。なお、靴自体に前記構成の中底を設けることも可能である。
【実施例】
【００１１】
次に、図面により本願考案の１実施例を説明する。  図１は、中底の下側層の平面図、図２は図１におけるＡ‐Ａ線断面図、図３は図１におけるＢ−Ｂ線断面図である。
図において１は中底下側層、２は踵対応部分に形成された送気室２としての凹部である。  ３は送気室２に連通してつま先方向に放射状に刻設された通気路としての溝部である。なお、４は送気室２の周囲に立設された伸縮層でゴム、軟質樹脂材により形成されている。
【００１２】
図４は、前記下側層１に接合される上側層の平面図である。  図において、６．６．．．は下側層１の通気路３の端部に対応する位置に形成された貫通開口部であり、送気室２からの通気路３を介して送られる空気を足裏に放散させるようになっている。
また、７は、送気室２に対応する箇所に貫通形成された複数の空気取り入れ孔である。複数を形成して
【００１３】
次に、上記構成に基づいて当該実施例の作用を説明する。
本願中底において、前記送気室２は容積ポンプの作用を有しているが、このポンプ動作は、靴着用者の歩行時の踵の動きを利用している。
すなわち、図５に示すようにヒトの踵は歩行に際して、着地のときは靴底を押圧し、地面から足を引き上げるときは靴底から離れる動作を繰り返している。
図４において、踵が上側層５の空気取り入れ孔７部分を押圧すると、図１、図２における伸縮層４が圧縮されこれにより送気室２の容積が縮小して圧力が高まり空気が通気路３、３.．．．．を通り上側層５の開口部６、６．．．．を経て靴内に放散され最終的には靴外に放出される。
【００１４】
踵の動きにより、上側層５の空気取り入れ孔７部分の閉塞、圧迫が解除されると、伸縮層４が原形に復帰し併せて送気室２の収縮も解除されて原状に復帰する。  この際、新鮮な空気が空気取り入れ孔７から送気室２内に流入する。  以降、上記動作の繰り返しにより、歩行している限り、靴内部には新鮮な空気が循環流通することになる。
この結果、靴内における発汗による水分は常時排出されるから、従来のような蒸れが発生せず適正な乾燥状態が維持されて雑菌等の繁殖による異臭の発生も防止される。
【００１５】
上記実施例では、送気室周囲に伸縮層を設けたが、これは送気室のポンプ動作を促進増強するためであり、この伸縮層を設けなくても上側層の進退により送気室を収縮復元させることで、空気流を通気路等に循環させることは可能である。
また、前述の中底を予め靴自体に形成しても上記と同様の効果を得ることができるが、中底として靴から分離できるほうが、中底の脂肪分等による汚れを洗浄する必要のある場合には便利である。
【００１６】
上記の実施例では、送気室２の底部および通気路３としての各溝の内壁に、脱臭剤、抗菌剤、乾燥剤等を塗布又は撒布した。これにより、靴内全般に脱臭、抗菌、乾燥等の作用効果が行き渡り、単に脱臭剤、抗菌剤、乾燥剤を靴の中敷きに含浸させるに過ぎない従来散見されるものに比べて、はるかに効果的な作用が実現できた。
【図面の簡単な説明】
【００１７】
【図１】本願考案の１実施例に係る中底の下側層の平面図である。
【図２】図１におけるＡ−Ａ線断面図である。
【図３】図１１におけるＢ−Ｂ線断面図である。
【図４】本願考案の１実施例に係る中底の上側層の平面図である。
【図５】歩行に際しての靴内における踵の動きを示す側面図である。
【符号の説明】
【００１８】
１．．．．．．．中底下側層
２．．．．．．．送気室
３．．．．．．．通気路
４．．．．．．．伸縮層
５．．．．．．．中底上側層
６．．．．．．．貫通開口部
７．．．．．．．空気取り入れ孔
【図１】
0003107174.tif 000003
【図２】
0003107174.tif 000004
【図３】
0003107174.tif 000005
【図４】
0003107174.tif 000006
【図５】
0003107174.tif 000007